(57)【要約】【課題】壁型枠のうち、特に外側型枠を建て込み、鉄筋を配筋した後に建て込む内側型枠のせき板相互の目違いについても修正することができる簡単構造の目違い修正具を提供する。【解決手段】コンクリート壁を形成する型枠のせき板に桟木が固定された背面側から該せき板を手前に引き寄せて隣接する該せき板相互の目違いを修正する目違修正具であって、帯状金属部材をコ字形に折り曲げると共に、端寄りを外折して左右対称な水平部位が形成された本体部と、前記本体部に羅嵌されたボルトに捜通され、前記桟木に打ちつけた釘又は木ねじを係止して該本体部に接近する位置と該本体部から離間する位置との間を移動する係止部材とを備えたことを特徴とする。【選択図】図１
2018048534.tif 000002
【特許請求の範囲】
【請求項１】
コンクリート壁を形成する型枠のせき板に桟木が固定された背面側から該せき板を手前に引き寄せて隣接する該せき板相互の目違いを修正する目違修正具であって、
帯状金属部材をコ字形に折り曲げると共に、端寄りを外折して左右対称な水平部位が形成された本体部と、
前記本体部に羅嵌されたボルトに捜通され、前記桟木に打ちつけた釘又は木ねじを係止して該本体部に接近する位置と該本体部から離間する位置との間を移動する係止部材とを備えたことを特徴とする目違修正具。
【請求項２】
前記本体部は、上座部位及び一対の側部部位によりコ字形を形成し、該側部部位のうちの何れか一方に第１ねじ孔が、該上座部位の該第１ねじ孔寄りに第２ねじ孔が形成されたものであって、
先端に第１平面部材が固定され、前記第１ねじ孔に螺合した第１つまみ付ボルトと、
先端に第２平面部材が固定され、前記第２ねじ孔に螺合した第２つまみ付ボルトと、を備え、
前記係止部材は、前記第２つまみ付ボルトに捜通され、前記第２平面部材と前記上座部位との間を自在に移動することを特徴とする請求項１記載の目違修正具。
【請求項３】
前記第１ねじ孔及び前記第２ねじ孔それぞれは、前記第１つまみ付ボルト又は前記第２つまみ付ボルトを螺合するナットが前記側部部位又は前記上座部位の外面に接合されたものであることを特徴とする請求項２記載の目違修正具。
【請求項４】
前記側部部位の長さは、前記桟木の高さよりも長く、該側部部位の長さと該桟木の高さとの差が、前記第２つまみ付ボルトの長さよりも短くなるように設定されたものであり、該第２つまみ付ボルトを一方向に回したときには、前記第２平面部材が該桟木に当接し、該第２つまみ付ボルトを他方向に回したときには、前記係止部材が前記上座部位に当接することを特徴とする請求項２記載の目違修正具。
【請求項５】
前記上座部位の長さは、隣接する２本の前記桟木の幅よりも長く、該上座部位の長さと隣接する２本の該桟木の幅との差が、前記第１つまみ付ボルトの長さよりも短くなるように設定されたものであり、該第１つまみ付ボルトを一方向に回したときには、前記第１平面部材が該桟木に当接し、該第１つまみ付ボルトを他方向に回したときには、該第１平面部材が前記側部部位に当接することを特徴とする請求項２記載の目違修正具。
【請求項６】
,前記第１ねじ孔が形成された前記側部部位とは異なる側の該側部部位の外面に前記本体部を把持する把持部が設置されたたことを特徴とする請求項２記載の目違修正具。
【請求項７】
コンクリート壁を形成する型枠のせき板に桟木が設置された背面側から該せき板の目違いを修正する目違い修正工法であって、
目違いを修正する前記せき板それぞれに設置された前記桟木それぞれのうち、手前に引き寄せることにより該目違いが修正される該桟木の所定位置に釘又は木ねじを打ちつける第一工程と、
帯状金属部材をコ字形に折り曲げると共に、端寄りを外折して左右対称な水平部位が形成された本体部、及び該本体部に羅嵌されたボルトに捜通され、該本体部に接近する位置と該本体部から離間する位置との間を移動する係止部材を備えた目違い修正具を、前記せき板それぞれに押し当てるように配置する一方、該係止部材に前記工程で打ち込まれた前記釘又は前記木ねじを係止する第二工程と、
前記本体部を前記桟木に固定し、前記ボルトを所定方向に回して前記係止部材を該本体部に接近するように移動させて、前記水平部位それぞれが前記せき板それぞれに当接するまで該桟木を引き寄せる第三工程と、を有することを特徴とする目違い修正工法。
【請求項８】
前記第三工程は、引き寄せた前記桟木と該桟木に隣接する桟木とを釘で固定し、前記目違い修正具を前記桟木から取り外す工程を含むことを特徴とする請求項７記載の目違い修正工法。
【発明の詳細な説明】
【技術分野】
【０００１】
本発明は、壁型枠におけるせき板接合部の目違いを修正する目違い修正具及び目違い修正工法に関するものである。
【背景技術】
【０００２】
従来からり、鉄筋コンクリート構造物は、配筋された鉄筋を木製の型枠で囲い、その型枠内に生コンクリートを流し込み、そのコンクリートが硬化した後に型枠を外すことにより構築している。
しかしながら、これら型枠のせき板は、反りや連結個所でのずれによる段差が生じ易い上、せき板に加わる圧力を支える桟木や端太、特に角材の寸法には誤差があるので目違いを生じやすい。その結果、コンクリート壁に目違いができると、美観上好ましくない上、次工程に支障となる場合があり、グラインダー等で削ったり、モルタルで厚塗りするのなどの補修が必要になる。これらの工程はかなりの手間ひまがかかるので、せき板の端部に凹凸を設けたさね構造とし、接合部のずれをなくす方法が考えられる。しかし、構造物各部の大きさに合わせ、規格化されたせき板を切断使用する場合には、さね構造が生かされない場合が多々生じ得る。
そこで、パネル（せき板）に穿孔を設け、そこにネールアンカーを挿入し、内部にピンを打ち込んでその先端を拡開仮固定させ、ネールアンカーにコンクリート型枠締付具本体を連結させ、それに端太材用座金を嵌めて端太材に当接させ、ナットを螺合させて締め付けることによりパネル（せき板）を引き出して端太材に当接させることで目違いを解消する方法が提案されている（特許文献２参照）。
また、コーナ型枠、水平部型枠それぞれの背面に、フックを挿入させる空間が 形成されその内面に断面台形状の溝が形成されたコーナ用枠体、又は枠体が固定された各型枠相互を、水平な本体の一端に布勢されたカムにより回転自在なフックが配設され、他端に固定されたフックが配設されたクランプで締め付ける方法が提案されている（特許文献１参照）。
【先行技術文献】
【特許文献】
【０００３】
【特許文献１】特開平５−５４７１１号公報
【特許文献１】特開平６−１３６９４８号公報
【発明の概要】
【発明が解決しようとする課題】
【０００４】
しかしながら、特許文献１記載の方法は、壁型枠の外側の型枠を建込み、鉄筋を配筋した後に、内側の型枠を建て込む際にせき板の目違いが生じた場合には適用が困難である。また特許文献２記載の方法は、せき板の背面にフックを挿入する空間が形成されその内面に断面台形状の溝が形成された樹脂製の枠体を別途設置する必要があり、割高になるうえ、コンクリート打設時の強度に不安がある。
本考案は、上記事情に鑑み、壁型枠のうち、特に外側型枠を建て込み、鉄筋を配筋した後に内側型枠を建て込む際に生じたせき板相互の目違いについても修正することができる簡単構造の目違い修正具を提供することを目的とする。
【課題を解決するための手段】
【０００５】
本発明の目違い修正具は、コンクリート壁を形成する型枠のせき板に桟木が固定された背面側から該せき板を手前に引き寄せて隣接する該せき板相互の目違いを修正する目違修正具であって、帯状金属部材をコ字形に折り曲げると共に、端寄りを外折して左右対称な水平部位が形成された本体部と、上記本体部に羅嵌されたボルトに捜通され、上記桟木に打ちつけた釘又は木ねじを係止して該本体部に接近する位置と該本体部から離間する位置との間を移動する係止部材とを備えたことを特徴とする。
このようにコ字形に左右対称な水平部位が連接された本体部と、本体部に接近する位置と本体部から離間する位置との間を移動する係止部材とを備えるので、目違いを修正するせき板に設置された桟木に打ちつけた釘又は木ねじをその係止部に係止してボルトを回し、桟木を手前に引き寄せて目違いを修正することができる。
その場合、上記本体部は、上座部位及び一対の側部部位によりコ字形を形成し、該側部部位のうちの何れか一方に第１ねじ孔が、該上座部位の該第１ねじ孔寄りに第２ねじ孔が形成されたものであって、先端に第１平面部材が固定され、上記第１ねじ孔に螺合した第１つまみ付ボルトと、先端に第２平面部材が固定され、上記第２ねじ孔に螺合した第２つまみ付ボルトと、を備え、上記係止部材は、上記第２つまみ付ボルトに捜通され、上記第２平面部材と上記上座部位との間を自在に移動するようにすることができる。
このようにすれば、第１つまみ付ボルトを回して本体部を桟木に固定することができる上、第２つまみ付ボルトを回して目違い修正作業を確実に、容易におこなうことができる。
また、上記第１ねじ孔及び上記第２ねじ孔それぞれは、上記第１つまみ付ボルト又は上記第２つまみ付ボルトを螺合するナットが上記側部部位又は上記上座部位の外面に接合されたものであることが好ましい。
ナットを接合することによりねじ孔を構成すれば、本体部の帯状金属部材にねじを切る必要がなくなり、厚みを抑えることができる。
また、上記側部部位の長さは、上記桟木の高さよりも長く、該側部部位の長さと該桟木の高さとの差が、上記第２つまみ付ボルトの長さよりも短くなるように設定されたものであり、該第２つまみ付ボルトを一方向に回したときには、上記第２平面部材が該桟木に当接し、該第２つまみ付ボルトを他方向に回したときには、上記係止部材が上記上座部位に当接することが好ましく、上記上座部位の長さは、隣接する２本の上記桟木の幅よりも長く、該上座部位の長さと隣接する２本の該桟木の幅との差が、上記第１つまみ付ボルトの長さよりも短くなるように設定されたものであり、該第１つまみ付ボルトを一方向に回したときには、上記第１平面部材が該桟木に当接し、該第１つまみ付ボルトを他方向に回したときには、該第１平面部材が上記側部部位に当接することが好ましい。
このような寸法にすれば、本体部を桟木に確実に固定できるうえ、目違いを生じているせき板及びその桟木を確実に手前に引き寄せることができる。
ここで、上記第１ねじ孔が形成された上記側部部位とは異なる側の該側部部位の外面に上記本体部を把持する把持部が設置されたたことが好ましい。
このような把持部を設ければ、２本の桟木の何れに打ち込まれた釘であっても、係止部材で係止するのが容易であり、また、目違い修正具を持ち運ぶのも容易である。
【０００６】
本発明の目違い修正工法は、コンクリート壁を形成する型枠のせき板に桟木が設置された背面側から該せき板の目違いを修正する目違い修正工法であって、目違いを修正する上記せき板それぞれに設置された上記桟木それぞれのうち、手前に引き寄せることにより該目違いが修正される該桟木の所定位置に釘又は木ねじを打ちつける第一工程と、帯状金属部材をコ字形に折り曲げると共に、端寄りを外折して左右対称な水平部位が形成された本体部、及び該本体部に羅嵌されたボルトに捜通され、該本体部に接近する位置と該本体部から離間する位置との間を移動する係止部材を備えた目違い修正具を、上記せき板それぞれに押し当てるように配置する一方、該係止部材に上記工程で打ち込まれた上記釘又は上記木ねじを係止する第二工程と、
上記本体部を上記桟木に固定し、上記ボルトを所定方向に回して上記係止部材を該本体部に接近するように移動させて、上記水平部位それぞれが上記せき板それぞれに当接するまで該桟木を引き寄せる第三工程と、を有することを特徴とする。
このような方法を用いれば、目違いを修正する桟木に釘などを打ち込み、簡単な工具とその工具の操作により誰でも、一人で目違い修正ができる。
その場合、上記第三工程は、引き寄せた上記桟木と該桟木に隣接する桟木とを釘で固定し、上記目違い修正具を上記桟木から取り外す工程を含むことができ、それによって、目違い修正工具を使いまわすことが容易である。
【発明の効果】
【０００７】
本発明の目違い修正具は、簡単な構造である上、目違いを生じた型板の背面側から誰でも容易に修正作業ができる。また本発明の目違い修正工法によれば、目違いを生じた型板の背面側に設置された桟木に釘等を打ち込めば、簡単な構造の修正工具を用いて、確実に修正ができるうえ、修正後に釘等で固定することにより、工具の使いまわしをすることができる。
【図面の簡単な説明】
【０００８】
【図１】図１は、本実施形態の目違い修正具の正面を斜め上方からみた図である。
【図２】図２は、本実施形態の目違い修正具の背面を斜め上方からみた図である。
【図３】図３は、本実施形態の目違い修正具の左側面を右斜め下方からみた図である。
【図４】図４は、本実施形態の目違い修正具の右側面を右斜め下方からみた図である。
【図５】図５は、桟木に釘を打ちつけた型枠の背面を示す正面図である。
【図６】図６は、桟木に釘を打ちつけた型枠の背面を示す平面図である。
【図７】図７は目違い修正具の把持部を手で持ち、桟木に取り付けようとしている状態を示す図である。
【図８】図８は、隣接する２本の桟木に本体部を固定した状態を示す図である。
【発明を実施するための形態】
【０００９】
以下に、本発明の目違い修正具の実施形態について説明する。
図１〜図４は、本実施形態の目違い修正具を示す図であり、図１は、正面を斜め上方からみた図、図２は、背面を斜め上方から見た図、図３及び図４は、左右の側面を斜め上方から見た図である。
図１〜図４に示す本実施形態の目違い修正具１は、帯状金属部材をコ字形に折り曲げ、その両端側を外折した本体部２と、先端に第１平面部材６が固定された第１つまみ付ボルト３と、先端に第２平面部材７が固定された第２つまみ付ボルト４と、第２つまみ付ボルト４に捜通され、桟木に打設された釘を係止して移動自在な係止部材５とを備えている。
なお、本実施形態の目違い修正具１には、本体部２の外側面に棒状の把持部９が設けられているが、この把持部９は、必ずしもを設ける必要はない。
【００１０】
本体部２は、帯状金属部材をコ字形に折り曲げることにより形成された上座部位２a及び一対の側部部位２ｂ、並びにその側部部位２ｂそれぞれの端寄りを外折して形成された左右対称な水平部位２ｃを有する。そして、側部部位２ｂのうちの何れか一方には、第１つまみ付ボルト３が捜通する穴を設け、その穴と同じ位置の外面に第１つまみ付ボルト３を螺合するナット８が溶接又は接着により接合されて第１ねじ孔２ｄが形成されている。
また、上座部位２aの、第１ねじ孔２ｄが形成された側部部位２ｂ寄りの位置に第２つまみ付ボルト４が捜通する穴を設け、その穴と同じ位置の外面に第２つまみ付ボルト４を螺合するナット８が溶接又は接着されて第２ねじ孔２eが形成されている。
さらに、第１ねじ孔２dが形成された側部部位２ｂと反対側の側部部位２ｂの外面には、本体部２を把持する棒状の把持部９が溶接又は接着などにより固定されている。
そして、上座部位２aの長さは、隣接する２本の桟木の幅よりも大きく、その差は、第１つまみ付ボルト３の長さよりも短くなるように設定されている。従って、第１つまみ付ボルト３を一方向に回したときには、第１平面部材６が桟木の一方に当接し、第１つまみ付ボルト３を他方向に回したときには、第１平面部材６が側部部位２ｂに当接する。
また、側部部位２ｂの長さは、桟木の高さよりも長く、その差は、第２つまみ付ボルト４の長さよりも短くなるように設定されている。従って、第２つまみ付ボルト４を一方向に回したときには、第２平面部材７が桟木に当接し、第２つまみ付ボルト４を他方向に回したときには、係止部材５が上座部位２aに当接する。
【００１１】
ここで、本実施形態の本体部２は、幅が３０ｍｍ、長さが略２５０ｍｍ、厚さが２乃至３ｍｍ程度の帯状金属部材を折り曲げ、長さが略６２ｍｍの上座部位２aを有するコ字形が形成され、上座部位2aの両側を外折して長さが略６０ｍｍの側部部位２bそれぞれと、長さが略３０ｍｍの水平部位２ｃそれぞれとが左右対称に形成されている。
そして、第１ねじ孔２ｄは、水平部位２ｃから略２５ｍｍの位置、第２ねじ孔２eは、第１ねじ孔２dを設けた側部部位２bから１５ｍｍ乃至１７ｍｍの位置に形成されている。
ただし、本体部2の寸法は一例であって、必ずしもこれらの寸法に限定する必要はない。
【００１２】
第１つまみ付ボルト３及び第１つまみ付ボルト４は、ヘッドにノブ（つまみ）が固定されたもので、ノブの形状は、三角形、丸、プラス、多角形の何れであってもよい。また、ボルトは、ねじの呼びが４ｍｍ乃至６ｍｍ、長さが３０ｍｍ乃至５０ｍｍの全ねじのものを用いることが好ましいが、必ずしもこの寸法に限定する必要はない。
そして、第１平面部材６及び第２平面部材７は、板状の小片で、形状は矩形でも、円形でも、多角形であってもよいが、第１ねじ孔２ｄ又は第２ねじ孔２eに螺合された状態の第１つまみ付ボルト３又は第２つまみ付ボルト４の先端に熔接あるいは接着する等してしっかりと固定される。
【００１３】
第１平面部材６は、第１つまみ付ボルト３が第１ねじ孔２dから抜けないようにするため、及び桟木を押圧して桟木に本体部２を固定するために用いる。
また第２平面部材７は、第２つまみ付ボルト４が第２ねじ孔２eから抜けないようにするため、及び釘を係止した係止部材５を手前に引き寄せる際に係止部材５が第２つまみ付ボルト４から抜け落ちないようにするために用いる。
ここで、本実施形態の第１平面部材６には、１５ｍｍ×１５ｍｍの矩形の金属小片が、第２平面部材７には、１３mm×１３ｍｍの矩形の金属小片が使用されているが、形状及び寸法は一例であって、必ずしもこれらに限定する必要はない。
【００１４】
さらに、係止部材５は、目違いを修正するせき板に取り付けられた桟木に打設された釘を係止するための部材で、第２つまみ付ボルト４が捜通する穴（図に現れない）と、釘の頭のみを係止する切欠部５ｂとが設けてあり、第２つまみ付ボルト４が捜通された上座部位２aと第２平面部材7との間を自在に移動できるように設置されている。従って、第２つまみ付ボルト４を回すことにより第２平面部材７と共に手前に移動し、釘が打設された桟木を手前に引き寄せることにより目違いを修正することができる。
本実施形態の係止部材５には、厚さが３ｍｍ乃至４ｍｍで大きさが１６ｍｍ×３８ｍｍ、の矩形の金属部材の一方の短辺に釘の頭のみが係止される鍵穴状の切欠部５ｂが形成されている。ただし、形状及び寸法は一例であって、必ずしもこれらに限定する必要はない。
【００１５】
また把持部９は、作業者が係止部材５を釘に係止させたり、水平部位２ｃそれぞれをせき板に当接させる際に使用するもので、第１ねじ孔２ｄが設けられた側部部位２ｂとは異なる側部部位２ｂに並行な棒状体が接着又は熔接等することにより設置され、棒状体全長の少なくとも三分の二は、上座部位２aの正面手前側に突き出ている。
本実施形態の把持部９は、長さが２１０ｍｍ、外径が１０ｍｍの樹脂製の棒状体で先端に丸みを帯びたつまみを取り付けてあるが、必ずしもこれらに限定されない。
【００１６】
次に、本発明の目違い修正工法の実施形態について説明する。
本実施形態に使用する目違い修正具は、図１〜図４に基づいて説明したものと同じであることから、目違い修正具に関する重複説明は省略する。
図５及び図６は、桟木に釘を打ちつけた型枠の背面を示す図であり、図５は、正面図、図６は、平面図である。
図５及び図６に示すように、桟木１１を取り付けたせき板１０を建て込んだ際に、例えば桟木１１の高さが異なるなどのために桟木１１の面で合わせたせき板１０相互にはズレが生じる。そこで、本実施形態の第一工程では、目違いを修正するために手前に引き寄せる必要があるせき板１０の桟木１１に釘２０を打ちつける。ただし、桟木１１に打ちつけるのは必ずしも釘２０である必要はなく、頭部のある木ねじであってもよい。
【００１７】
図７及び図８は、目違い修正具の把持部を手で持ち、隣接する２本の桟木に本体部を固定するまでの第二工程を示す図であり、図７は、把持部を手で持ち、桟木に目違い修正具を取り付ける直前を示す図、図８は、隣接する２本の桟木に本体部を固定した状態を示す図である。
図７に示すように、桟木１１に打った釘２０の位置と第２つまみ付ボルト４の位置が合うように上座部位２aの上下位置を変える。すなわち、図６に示すように２本の桟木１１のうちの右側の桟木１１に釘２０が打ってあるときは、第１つまみ付ボルト４が右側で、把持部９が左側になり、かつ上座部位２aが水平になるように、把持部９を左手で支える。そのとき、係止部材５の切欠部５ｂが釘２０を係止しやすいように下向きになり、正面から見たときに、上座部位２aから突き出るようにする。ただし、切欠部５ｂは必ずしも下向きにする必要はなく、上向きにして上座部位２aから突き出るようにしてもよい。
また、２本の桟木11のうちの左側の桟木11に釘２０が打ってあるときは、第１つまみ付ボルト４が左側で、把持部９が右側になり、かつ上座部位２aが水平になるように、把持部９を右手で支える。
図８に示すように、目違い修正具１の係止部材５で釘を係止し、隣接する２本の桟木１１を挟み、水平部位２aがせき板１０に突き当るようにする。
【００１８】
第三工程は、図８において、第１つまみ付ボルト３を締めて本体部２を桟１１木に固定する。
そして、第２つまみ付ボルト４を回して釘２０が係止された係止部材５を手前に引き寄せ、水平部位２ｃそれぞれがせき板１０それぞれに当接して目違いが修正されるのを確認する。
目違いが修正されたら、隣接する２本の桟木１１を長めの釘２１で固定する。
このように、長めの釘で隣接する２本の桟木を固定すれば、本実施形態の目違い修正具１を取り外し、別の目違い個所の修正を行うことができる。
ただし、長い釘２１で隣接する２本の桟木１１を固定せずに、本実施形態の目違い修正具１を設置したまま、型枠にコンクリートを打設してもよい。
【産業上の利用可能性】
【００１９】
建て込まれた型枠の目違いを修正するために用いるほか、設置されたパネル相互のずれを修正するためにも使用することができる。
【符号の説明】
【００２０】
１    目違い修正具
２    本体部
２a    上座部位
２b    側部部位
２c    水平部位
２d    第１ねじ孔
２e    第２ねじ孔
３    第１つまみ付ボルト
４    第２つまみ付ボルト
５    係止部材
５ｂ  切欠部
６    第１平面部材
７    第２平面部材
８    ナット
９    把持部
１０  せき板
１１  桟木
２０  釘
２１  長い釘
【図１】
2018048534.tif 000003
【図２】
2018048534.tif 000004
【図３】
2018048534.tif 000005
【図４】
2018048534.tif 000006
【図５】
2018048534.tif 000007
【図６】
2018048534.tif 000008
【図７】
2018048534.tif 000009
【図８】
2018048534.tif 000010
【手続補正書】
【提出日】平成28年11月2日(2016.11.2)
【手続補正１】
【補正対象書類名】明細書
【補正対象項目名】０００２
【補正方法】変更
【補正の内容】
【０００２】
従来からり、鉄筋コンクリート構造物は、配筋された鉄筋を木製の型枠で囲い、その型枠内に生コンクリートを流し込み、そのコンクリートが硬化した後に型枠を外すことにより構築している。
しかしながら、これら型枠のせき板は、反りや連結個所でのずれによる段差が生じ易い上、せき板に加わる圧力を支える桟木や端太、特に角材の寸法には誤差があるので目違いを生じやすい。その結果、コンクリート壁に目違いができると、美観上好ましくない上、次工程に支障となる場合があり、グラインダー等で削ったり、モルタルで厚塗りするのなどの補修が必要になる。これらの工程はかなりの手間ひまがかかるので、せき板の端部に凹凸を設けたさね構造とし、接合部のずれをなくす方法が考えられる。しかし、構造物各部の大きさに合わせ、規格化されたせき板を切断使用する場合には、さね構造が生かされない場合が多々生じ得る。
そこで、パネル（せき板）に穿孔を設け、そこにネールアンカーを挿入し、内部にピンを打ち込んでその先端を拡開仮固定させ、ネールアンカーにコンクリート型枠締付具本体を連結させ、それに端太材用座金を嵌めて端太材に当接させ、ナットを螺合させて締め付けることによりパネル（せき板）を引き出して端太材に当接させることで目違いを解消する方法が提案されている（特許文献１参照）。
また、コーナ型枠、水平部型枠それぞれの背面に、フックを挿入させる空間が 形成されその内面に断面台形状の溝が形成されたコーナ用枠体、又は枠体が固定された各型枠相互を、水平な本体の一端に布勢されたカムにより回転自在なフックが配設され、他端に固定されたフックが配設されたクランプで締め付ける方法が提案されている（特許文献２参照）。
【手続補正２】
【補正対象書類名】明細書
【補正対象項目名】０００５
【補正方法】変更
【補正の内容】
【０００５】
本発明の目違い修正具は、コンクリート壁を形成する型枠のせき板に桟木が固定された背面側から該せき板を手前に引き寄せて隣接する該せき板相互の目違いを修正する目違修正具であって、帯状金属部材をコ字形に折り曲げると共に、端寄りを外折して左右対称な水平部位が形成された本体部と、上記本体部に螺嵌されたボルトに捜通され、上記桟木に打ちつけた釘又は木ねじを係止して該本体部に接近する位置と該本体部から離間する位置との間を移動する係止部材とを備えたことを特徴とする。
このようにコ字形に左右対称な水平部位が連接された本体部と、本体部に接近する位置と本体部から離間する位置との間を移動する係止部材とを備えるので、目違いを修正するせき板に設置された桟木に打ちつけた釘又は木ねじをその係止部に係止してボルトを回し、桟木を手前に引き寄せて目違いを修正することができる。
その場合、上記本体部は、上座部位及び一対の側部部位によりコ字形を形成し、該側部部位のうちの何れか一方に第１ねじ孔が、該上座部位の該第１ねじ孔寄りに第２ねじ孔が形成されたものであって、先端に第１平面部材が固定され、上記第１ねじ孔に螺合した第１つまみ付ボルトと、先端に第２平面部材が固定され、上記第２ねじ孔に螺合した第２つまみ付ボルトと、を備え、上記係止部材は、上記第２つまみ付ボルトに捜通され、上記第２平面部材と上記上座部位との間を自在に移動するようにすることができる。
このようにすれば、第１つまみ付ボルトを回して本体部を桟木に固定することができる上、第２つまみ付ボルトを回して目違い修正作業を確実に、容易におこなうことができる。
また、上記第１ねじ孔及び上記第２ねじ孔それぞれは、上記第１つまみ付ボルト又は上記第２つまみ付ボルトを螺合するナットが上記側部部位又は上記上座部位の外面に接合されたものであることが好ましい。
ナットを接合することによりねじ孔を構成すれば、本体部の帯状金属部材にねじを切る必要がなくなり、厚みを抑えることができる。
また、上記側部部位の長さは、上記桟木の高さよりも長く、該側部部位の長さと該桟木の高さとの差が、上記第２つまみ付ボルトの長さよりも短くなるように設定されたものであり、該第２つまみ付ボルトを一方向に回したときには、上記第２平面部材が該桟木に当接し、該第２つまみ付ボルトを他方向に回したときには、上記係止部材が上記上座部位に当接することが好ましく、上記上座部位の長さは、隣接する２本の上記桟木の幅よりも長く、該上座部位の長さと隣接する２本の該桟木の幅との差が、上記第１つまみ付ボルトの長さよりも短くなるように設定されたものであり、該第１つまみ付ボルトを一方向に回したときには、上記第１平面部材が該桟木に当接し、該第１つまみ付ボルトを他方向に回したときには、該第１平面部材が上記側部部位に当接することが好ましい。
このような寸法にすれば、本体部を桟木に確実に固定できるうえ、目違いを生じているせき板及びその桟木を確実に手前に引き寄せることができる。
ここで、上記第１ねじ孔が形成された上記側部部位とは異なる側の該側部部位の外面に上記本体部を把持する把持部が設置されたたことが好ましい。
このような把持部を設ければ、２本の桟木の何れに打ち込まれた釘であっても、係止部材で係止するのが容易であり、また、目違い修正具を持ち運ぶのも容易である。
【手続補正３】
【補正対象書類名】明細書
【補正対象項目名】００１１
【補正方法】変更
【補正の内容】
【００１１】
ここで、本実施形態の本体部２は、幅が３０ｍｍ、長さが略２５０ｍｍ、厚さが２乃至３ｍｍ程度の帯状金属部材を折り曲げ、長さが略６２ｍｍの上座部位２aを有するコ字形が形成され、上座部位2aの両側を外折して長さが略６０ｍｍの側部部位２bそれぞれと、長さが略３０ｍｍの水平部位２ｃそれぞれとが左右対称に形成されている。
そして、第１ねじ孔２ｄは、水平部位２ｃから略２５ｍｍの位置、第２ねじ孔２eは、第１ねじ孔２dを設けた側部部位２bから１５ｍｍ乃至１７ｍｍの位置に形成されている。
ただし、本体部2の寸法は一例であって、必ずしもこれらの寸法に限定する必要はない。また、第１ねじ孔２ｄ及び第２ねじ孔２eは、長溝状のものであってもよい。
【手続補正４】
【補正対象書類名】特許請求の範囲
【補正対象項目名】請求項１
【補正方法】変更
【補正の内容】
【請求項１】
コンクリート壁を形成する型枠のせき板に桟木が固定された背面側から該せき板を手前に引き寄せて隣接する該せき板相互の目違いを修正する目違修正具であって、
帯状金属部材をコ字形に折り曲げると共に、端寄りを外折して左右対称な水平部位が形成された本体部と、
前記本体部に螺嵌されたボルトに捜通され、前記桟木に打ちつけた釘又は木ねじを係止して該本体部に接近する位置と該本体部から離間する位置との間を移動する係止部材とを備えたことを特徴とする目違修正具。
【手続補正５】
【補正対象書類名】特許請求の範囲
【補正対象項目名】請求項７
【補正方法】変更
【補正の内容】
【請求項７】
コンクリート壁を形成する型枠のせき板に桟木が設置された背面側から該せき板の目違いを修正する目違い修正工法であって、
目違いを修正する前記せき板それぞれに設置された前記桟木それぞれのうち、手前に引き寄せることにより該目違いが修正される該桟木の所定位置に釘又は木ねじを打ちつける第一工程と、
帯状金属部材をコ字形に折り曲げると共に、端寄りを外折して左右対称な水平部位が形成された本体部、及び該本体部に螺嵌されたボルトに捜通され、該本体部に接近する位置と該本体部から離間する位置との間を移動する係止部材を備えた目違い修正具を、前記せき板それぞれに押し当てるように配置する一方、該係止部材に前記工程で打ち込まれた前記釘又は前記木ねじを係止する第二工程と、
前記本体部を前記桟木に固定し、前記ボルトを所定方向に回して前記係止部材を該本体部に接近するように移動させて、前記水平部位それぞれが前記せき板それぞれに当接するまで該桟木を引き寄せる第三工程と、を有することを特徴とする目違い修正工法。
【手続補正書】
【提出日】平成28年12月20日(2016.12.20)
【手続補正１】
【補正対象書類名】明細書
【補正対象項目名】全文
【補正方法】変更
【補正の内容】
【発明の詳細な説明】
【技術分野】
【０００１】
本発明は、壁型枠におけるせき板接合部の目違いを修正する目違い修正具及び目違い修正工法に関するものである。
【背景技術】
【０００２】
従来からり、鉄筋コンクリート構造物は、配筋された鉄筋を木製の型枠で囲い、その型枠内に生コンクリートを流し込み、そのコンクリートが硬化した後に型枠を外すことにより構築している。
しかしながら、これら型枠のせき板は、反りや連結個所でのずれによる段差が生じ易い上、せき板に加わる圧力を支える桟木や端太、特に角材の寸法には誤差があるので目違いを生じやすい。その結果、コンクリート壁に目違いができると、美観上好ましくない上、次工程に支障となる場合があり、グラインダー等で削ったり、モルタルで厚塗りするのなどの補修が必要になる。これらの工程はかなりの手間ひまがかかるので、せき板の端部に凹凸を設けたさね構造とし、接合部のずれをなくす方法が考えられる。しかし、構造物各部の大きさに合わせ、規格化されたせき板を切断使用する場合には、さね構造が生かされない場合が多々生じ得る。
そこで、パネル（せき板）に穿孔を設け、そこにネールアンカーを挿入し、内部にピンを打ち込んでその先端を拡開仮固定させ、ネールアンカーにコンクリート型枠締付具本体を連結させ、それに端太材用座金を嵌めて端太材に当接させ、ナットを螺合させて締め付けることによりパネル（せき板）を引き出して端太材に当接させることで目違いを解消する方法が提案されている（特許文献１参照）。
また、コーナ型枠、水平部型枠それぞれの背面に、フックを挿入させる空間が 形成されその内面に断面台形状の溝が形成されたコーナ用枠体、又は枠体が固定された各型枠相互を、水平な本体の一端に布勢されたカムにより回転自在なフックが配設され、他端に固定されたフックが配設されたクランプで締め付ける方法が提案されている（特許文献２参照）。
【先行技術文献】
【特許文献】
【０００３】
【特許文献１】特開平５−５４７１１号公報
【特許文献１】特開平６−１３６９４８号公報
【発明の概要】
【発明が解決しようとする課題】
【０００４】
しかしながら、特許文献１記載の方法は、壁型枠の外側の型枠を建込み、鉄筋を配筋した後に、内側の型枠を建て込む際にせき板の目違いが生じた場合には適用が困難である。また特許文献２記載の方法は、せき板の背面にフックを挿入する空間が形成されその内面に断面台形状の溝が形成された樹脂製の枠体を別途設置する必要があり、割高になるうえ、コンクリート打設時の強度に不安がある。
本考案は、上記事情に鑑み、壁型枠のうち、特に外側型枠を建て込み、鉄筋を配筋した後に内側型枠を建て込む際に生じたせき板相互の目違いについても修正することができる簡単構造の目違い修正具を提供することを目的とする。
【課題を解決するための手段】
【０００５】
本発明の目違い修正具は、コンクリート壁を形成する型枠のせき板に桟木が固定された背面側から該せき板を手前に引き寄せて隣接する該せき板相互の目違いを修正する目違修正具であって、帯状金属部材をコ字形に折り曲げると共に、端寄りを外折して左右対称な水平部位が形成された本体部と、上記本体部に螺嵌されたボルトに挿通され、上記桟木に打ちつけた釘又は木ねじを係止して該本体部に接近する位置と該本体部から離間する位置との間を移動する係止部材とを備えたことを特徴とする。
このようにコ字形に左右対称な水平部位が連接された本体部と、本体部に接近する位置と本体部から離間する位置との間を移動する係止部材とを備えるので、目違いを修正するせき板に設置された桟木に打ちつけた釘又は木ねじをその係止部に係止してボルトを回し、桟木を手前に引き寄せて目違いを修正することができる。
その場合、上記本体部は、上座部位及び一対の側部部位によりコ字形を形成し、該側部部位のうちの何れか一方に第１ねじ孔が、該上座部位の該第１ねじ孔寄りに第２ねじ孔が形成されたものであって、先端に第１平面部材が固定され、上記第１ねじ孔に螺合した第１つまみ付ボルトと、先端に第２平面部材が固定され、上記第２ねじ孔に螺合した第２つまみ付ボルトと、を備え、上記係止部材は、上記第２つまみ付ボルトに挿通され、上記第２平面部材と上記上座部位との間を自在に移動するようにすることができる。
このようにすれば、第１つまみ付ボルトを回して本体部を桟木に固定することができる上、第２つまみ付ボルトを回して目違い修正作業を確実に、容易におこなうことができる。
また、上記第１ねじ孔及び上記第２ねじ孔それぞれは、上記第１つまみ付ボルト又は上記第２つまみ付ボルトを螺合するナットが上記側部部位又は上記上座部位の外面に接合されたものであることが好ましい。
ナットを接合することによりねじ孔を構成すれば、本体部の帯状金属部材にねじを切る必要がなくなり、厚みを抑えることができる。
また、上記側部部位の長さは、上記桟木の高さよりも長く、該側部部位の長さと該桟木の高さとの差が、上記第２つまみ付ボルトの長さよりも短くなるように設定されたものであり、該第２つまみ付ボルトを一方向に回したときには、上記第２平面部材が該桟木に当接し、該第２つまみ付ボルトを他方向に回したときには、上記係止部材が上記上座部位に当接することが好ましく、上記上座部位の長さは、隣接する２本の上記桟木の幅よりも長く、該上座部位の長さと隣接する２本の該桟木の幅との差が、上記第１つまみ付ボルトの長さよりも短くなるように設定されたものであり、該第１つまみ付ボルトを一方向に回したときには、上記第１平面部材が該桟木に当接し、該第１つまみ付ボルトを他方向に回したときには、該第１平面部材が上記側部部位に当接することが好ましい。
このような寸法にすれば、本体部を桟木に確実に固定できるうえ、目違いを生じているせき板及びその桟木を確実に手前に引き寄せることができる。
ここで、上記第１ねじ孔が形成された上記側部部位とは異なる側の該側部部位の外面に上記本体部を把持する把持部が設置されたたことが好ましい。
このような把持部を設ければ、２本の桟木の何れに打ち込まれた釘であっても、係止部材で係止するのが容易であり、また、目違い修正具を持ち運ぶのも容易である。
【０００６】
本発明の目違い修正工法は、コンクリート壁を形成する型枠のせき板に桟木が設置された背面側から該せき板の目違いを修正する目違い修正工法であって、目違いを修正する上記せき板それぞれに設置された上記桟木それぞれのうち、手前に引き寄せることにより該目違いが修正される該桟木の所定位置に釘又は木ねじを打ちつける第一工程と、帯状金属部材をコ字形に折り曲げると共に、端寄りを外折して左右対称な水平部位が形成された本体部、及び該本体部に螺嵌されたボルトに挿通され、該本体部に接近する位置と該本体部から離間する位置との間を移動する係止部材を備えた目違い修正具を、上記せき板それぞれに押し当てるように配置する一方、該係止部材に上記工程で打ち込まれた上記釘又は上記木ねじを係止する第二工程と、
上記本体部を上記桟木に固定し、上記ボルトを所定方向に回して上記係止部材を該本体部に接近するように移動させて、上記水平部位それぞれが上記せき板それぞれに当接するまで該桟木を引き寄せる第三工程と、を有することを特徴とする。
このような方法を用いれば、目違いを修正する桟木に釘などを打ち込み、簡単な工具とその工具の操作により誰でも、一人で目違い修正ができる。
その場合、上記第三工程は、引き寄せた上記桟木と該桟木に隣接する桟木とを釘で固定し、上記目違い修正具を上記桟木から取り外す工程を含むことができ、それによって、目違い修正工具を使いまわすことが容易である。
【発明の効果】
【０００７】
本発明の目違い修正具は、簡単な構造である上、目違いを生じた型板の背面側から誰でも容易に修正作業ができる。また本発明の目違い修正工法によれば、目違いを生じた型板の背面側に設置された桟木に釘等を打ち込めば、簡単な構造の修正工具を用いて、確実に修正ができるうえ、修正後に釘等で固定することにより、工具の使いまわしをすることができる。
【図面の簡単な説明】
【０００８】
【図１】図１は、本実施形態の目違い修正具の正面を斜め上方からみた図である。
【図２】図２は、本実施形態の目違い修正具の背面を斜め上方からみた図である。
【図３】図３は、本実施形態の目違い修正具の左側面を右斜め下方からみた図である。
【図４】図４は、本実施形態の目違い修正具の右側面を右斜め下方からみた図である。
【図５】図５は、桟木に釘を打ちつけた型枠の背面を示す正面図である。
【図６】図６は、桟木に釘を打ちつけた型枠の背面を示す平面図である。
【図７】図７は目違い修正具の把持部を手で持ち、桟木に取り付けようとしている状態を示す図である。
【図８】図８は、隣接する２本の桟木に本体部を固定した状態を示す図である。
【発明を実施するための形態】
【０００９】
以下に、本発明の目違い修正具の実施形態について説明する。
図１〜図４は、本実施形態の目違い修正具を示す図であり、図１は、正面を斜め上方からみた図、図２は、背面を斜め上方から見た図、図３及び図４は、左右の側面を斜め上方から見た図である。
図１〜図４に示す本実施形態の目違い修正具１は、帯状金属部材をコ字形に折り曲げ、その両端側を外折した本体部２と、先端に第１平面部材６が固定された第１つまみ付ボルト３と、先端に第２平面部材７が固定された第２つまみ付ボルト４と、第２つまみ付ボルト４に捜通され、桟木に打設された釘を係止して移動自在な係止部材５とを備えている。
なお、本実施形態の目違い修正具１には、本体部２の外側面に棒状の把持部９が設けられているが、この把持部９は、必ずしも設ける必要はない。
【００１０】
本体部２は、帯状金属部材をコ字形に折り曲げることにより形成された上座部位２a及び一対の側部部位２ｂ、並びにその側部部位２ｂそれぞれの端寄りを外折して形成された左右対称な水平部位２ｃを有する。そして、側部部位２ｂのうちの何れか一方には、第１つまみ付ボルト４が挿通する穴を設け、その穴と同じ位置の外面に第１つまみ付ボルト３を螺合するナット８が溶接又は接着により接合されて第１ねじ孔２ｄが形成されている。
また、上座部位２aの、第１ねじ孔２ｄが形成された側部部位２ｂ寄りの位置に第２つまみ付ボルト４が捜通する穴を設け、その穴と同じ位置の外面に第２つまみ付ボルト４を螺合するナット８が溶接又は接着されて第２ねじ孔２eが形成されている。
さらに、第１ねじ孔２dが形成された側部部位２ｂと反対側の側部部位２ｂの外面には、本体部２を把持する棒状の把持部９が溶接又は接着などにより固定されている。
そして、上座部位２aの長さは、隣接する２本の桟木の幅よりも大きく、その差は、第１つまみ付ボルト３の長さよりも短くなるように設定されている。従って、第１つまみ付ボルト３を一方向に回したときには、第１平面部材６が桟木の一方に当接し、第１つまみ付ボルト３を他方向に回したときには、第１平面部材６が側部部位２ｂに当接する。
また、側部部位２ｂの長さは、桟木の高さよりも長く、その差は、第２つまみ付ボルト４の長さよりも短くなるように設定されている。従って、第２つまみ付ボルト４を一方向に回したときには、第２平面部材７が桟木に当接し、第２つまみ付ボルト４を他方向に回したときには、係止部材５が上座部位２aに当接する。
【００１１】
ここで、本実施形態の本体部２は、幅が３０ｍｍ、長さが略２５０ｍｍ、厚さが２乃至３ｍｍ程度の帯状金属部材を折り曲げ、長さが略６２ｍｍの上座部位２aを有するコ字形が形成され、上座部位2aの両側を外折して長さが略６０ｍｍの側部部位２bそれぞれと、長さが略３０ｍｍの水平部位２ｃそれぞれとが左右対称に形成されている。
そして、第１ねじ孔２ｄは、水平部位２ｃから略２５ｍｍの位置、第２ねじ孔２eは、第１ねじ孔２dを設けた側部部位２bから１５ｍｍ乃至１７ｍｍの位置に形成されている。
ただし、本体部2の寸法は一例であって、必ずしもこれらの寸法に限定する必要はない。
【００１２】
第１つまみ付ボルト３及び第１つまみ付ボルト４は、ヘッドにノブ（つまみ）が固定されたもので、ノブの形状は、三角形、丸、プラス、多角形の何れであってもよい。また、ボルトは、ねじの呼びが４ｍｍ乃至６ｍｍ、長さが３０ｍｍ乃至５０ｍｍの全ねじのものを用いることが好ましいが、必ずしもこの寸法に限定する必要はない。
そして、第１平面部材６及び第２平面部材７は、板状の小片で、形状は矩形でも、円形でも、多角形であってもよいが、第１ねじ孔２ｄ又は第２ねじ孔２eに螺合された状態の第１つまみ付ボルト３又は第２つまみ付ボルト４の先端に熔接あるいは接着する等してしっかりと固定される。
【００１３】
第１平面部材６は、第１つまみ付ボルト３が第１ねじ孔２dから抜けないようにするため、及び桟木を押圧して桟木に本体部２を固定するために用いる。
また第２平面部材７は、第２つまみ付ボルト４が第２ねじ孔２eから抜けないようにするため、及び釘を係止した係止部材５を手前に引き寄せる際に係止部材５が第２つまみ付ボルト４から抜け落ちないようにするために用いる。
ここで、本実施形態の第１平面部材６には、１５ｍｍ×１５ｍｍの矩形の金属小片が、第２平面部材７には、１３mm×１３ｍｍの矩形の金属小片が使用されているが、形状及び寸法は一例であって、必ずしもこれらに限定する必要はない。
【００１４】
さらに、係止部材５は、目違いを修正するせき板に取り付けられた桟木に打設された釘を係止するための部材で、第２つまみ付ボルト４が挿通する穴（図に現れない）と、釘の頭のみを係止する切欠部５ｂとが設けてあり、第２つまみ付ボルト４が挿通された上座部位２aと第２平面部材7との間を自在に移動できるように設置されている。従って、第２つまみ付ボルト４を回すことにより第２平面部材７と共に手前に移動し、釘が打設された桟木を手前に引き寄せることにより目違いを修正することができる。
本実施形態の係止部材５には、厚さが３ｍｍ乃至４ｍｍで大きさが１６ｍｍ×３８ｍｍ、の矩形の金属部材の一方の短辺に釘の頭のみが係止される鍵穴状の切欠部５ｂが形成されている。ただし、形状及び寸法は一例であって、必ずしもこれらに限定する必要はない。
【００１５】
また把持部９は、作業者が係止部材５を釘に係止させたり、水平部位２ｃそれぞれをせき板に当接させる際に使用するもので、第１ねじ孔２ｄが設けられた側部部位２ｂとは異なる側部部位２ｂに並行な棒状体が接着又は熔接等することにより設置され、棒状体全長の少なくとも三分の二は、上座部位２aの正面手前側に突き出ている。
本実施形態の把持部９は、長さが２１０ｍｍ、外径が１０ｍｍの樹脂製の棒状体で先端に丸みを帯びたつまみを取り付けてあるが、必ずしもこれらに限定されない。
【００１６】
次に、本発明の目違い修正工法の実施形態について説明する。
本実施形態に使用する目違い修正具は、図１〜図４に基づいて説明したものと同じであることから、目違い修正具に関する重複説明は省略する。
図５及び図６は、桟木に釘を打ちつけた型枠の背面を示す図であり、図５は、正面図、図６は、平面図である。
図５及び図６に示すように、桟木１１を取り付けたせき板１０を建て込んだ際に、例えば桟木１１の高さが異なるなどのために桟木１１の面で合わせたせき板１０相互にはズレが生じる。そこで、本実施形態の第一工程では、目違いを修正するために手前に引き寄せる必要があるせき板１０の桟木１１に釘２０を打ちつける。ただし、桟木１１に打ちつけるのは必ずしも釘２０である必要はなく、頭部のある木ねじであってもよい。
【００１７】
図７及び図８は、目違い修正具の把持部を手で持ち、隣接する２本の桟木に本体部を固定するまでの第二工程を示す図であり、図７は、把持部を手で持ち、桟木に目違い修正具を取り付ける直前を示す図、図８は、隣接する２本の桟木に本体部を固定した状態を示す図である。
図７に示すように、桟木１１に打った釘２０の位置と第２つまみ付ボルト４の位置が合うように上座部位２aの上下位置を変える。すなわち、図６に示すように２本の桟木１１のうちの右側の桟木１１に釘２０が打ってあるときは、第１つまみ付ボルト４が右側で、把持部９が左側になり、かつ上座部位２aが水平になるように、把持部９を左手で支える。そのとき、係止部材５の切欠部５ｂが釘２０を係止しやすいように下向きになり、正面から見たときに、上座部位２aから突き出るようにする。ただし、切欠部５ｂは必ずしも下向きにする必要はなく、上向きにして上座部位２aから突き出るようにしてもよい。
また、２本の桟木11のうちの左側の桟木11に釘２０が打ってあるときは、第１つまみ付ボルト４が左側で、把持部９が右側になり、かつ上座部位２aが水平になるように、把持部９を右手で支える。
図８に示すように、目違い修正具１の係止部材５で釘を係止し、隣接する２本の桟木１１を挟み、水平部位２aがせき板１０に突き当るようにする。
【００１８】
第三工程は、図８において、第１つまみ付ボルト３を締めて本体部２を桟１１木に固定する。
そして、第２つまみ付ボルト４を回して釘２０が係止された係止部材５を手前に引き寄せ、水平部位２ｃそれぞれがせき板１０それぞれに当接して目違いが修正されるのを確認する。
目違いが修正されたら、隣接する２本の桟木１１を長めの釘２１で固定する。
このように、長めの釘で隣接する２本の桟木を固定すれば、本実施形態の目違い修正具１を取り外し、別の目違い個所の修正を行うことができる。
ただし、長い釘２１で隣接する２本の桟木１１を固定せずに、本実施形態の目違い修正具１を設置したまま、型枠にコンクリートを打設してもよい。
【産業上の利用可能性】
【００１９】
建て込まれた型枠の目違いを修正するために用いるほか、設置されたパネル相互のずれを修正するためにも使用することができる。
【符号の説明】
【００２０】
１    目違い修正具
２    本体部
２a    上座部位
２b    側部部位
２c    水平部位
２d    第１ねじ孔
２e    第２ねじ孔
３    第１つまみ付ボルト
４    第２つまみ付ボルト
５    係止部材
５ｂ  切欠部
６    第１平面部材
７    第２平面部材
８    ナット
９    把持部
１０  せき板
１１  桟木
２０  釘
２１  長い釘
【手続補正２】
【補正対象書類名】特許請求の範囲
【補正対象項目名】全文
【補正方法】変更
【補正の内容】
【特許請求の範囲】
【請求項１】
コンクリート壁を形成する型枠のせき板に桟木が固定された背面側から該せき板を手前に引き寄せて隣接する該せき板相互の目違いを修正する目違修正具であって、
帯状金属部材をコ字形に折り曲げると共に、端寄りを外折して左右対称な水平部位が形成された本体部と、
前記本体部に螺嵌されたボルトに挿通され、前記桟木に打ちつけた釘又は木ねじを係止して該本体部に接近する位置と該本体部から離間する位置との間を移動する係止部材とを備えたことを特徴とする目違修正具。
【請求項２】
前記本体部は、上座部位及び一対の側部部位によりコ字形を形成し、該側部部位のうちの何れか一方に第１ねじ孔が、該上座部位の該第１ねじ孔寄りに第２ねじ孔が形成されたものであって、
先端に第１平面部材が固定され、前記第１ねじ孔に螺合した第１つまみ付ボルトと、
先端に第２平面部材が固定され、前記第２ねじ孔に螺合した第２つまみ付ボルトと、を備え、
前記係止部材は、前記第２つまみ付ボルトに挿通され、前記第２平面部材と前記上座部位との間を自在に移動することを特徴とする請求項１記載の目違修正具。
【請求項３】
前記第１ねじ孔及び前記第２ねじ孔それぞれは、前記第１つまみ付ボルト又は前記第２つまみ付ボルトを螺合するナットが前記側部部位又は前記上座部位の外面に接合されたものであることを特徴とする請求項２記載の目違修正具。
【請求項４】
前記側部部位の長さは、前記桟木の高さよりも長く、該側部部位の長さと該桟木の高さとの差が、前記第２つまみ付ボルトの長さよりも短くなるように設定されたものであり、該第２つまみ付ボルトを一方向に回したときには、前記第２平面部材が該桟木に当接し、該第２つまみ付ボルトを他方向に回したときには、前記係止部材が前記上座部位に当接することを特徴とする請求項２記載の目違修正具。
【請求項５】
前記上座部位の長さは、隣接する２本の前記桟木の幅よりも長く、該上座部位の長さと隣接する２本の該桟木の幅との差が、前記第１つまみ付ボルトの長さよりも短くなるように設定されたものであり、該第１つまみ付ボルトを一方向に回したときには、前記第１平面部材が該桟木に当接し、該第１つまみ付ボルトを他方向に回したときには、該第１平面部材が前記側部部位に当接することを特徴とする請求項２記載の目違修正具。
【請求項６】
,前記第１ねじ孔が形成された前記側部部位とは異なる側の該側部部位の外面に前記本体部を把持する把持部が設置されたたことを特徴とする請求項２記載の目違修正具。
【請求項７】
コンクリート壁を形成する型枠のせき板に桟木が設置された背面側から該せき板の目違いを修正する目違い修正工法であって、
目違いを修正する前記せき板それぞれに設置された前記桟木それぞれのうち、手前に引き寄せることにより該目違いが修正される該桟木の所定位置に釘又は木ねじを打ちつける第一工程と、
帯状金属部材をコ字形に折り曲げると共に、端寄りを外折して左右対称な水平部位が形成された本体部、及び該本体部に螺嵌されたボルトに挿通され、該本体部に接近する位置と該本体部から離間する位置との間を移動する係止部材を備えた目違い修正具を、前記せき板それぞれに押し当てるように配置する一方、該係止部材に前記工程で打ち込まれた前記釘又は前記木ねじを係止する第二工程と、
前記本体部を前記桟木に固定し、前記ボルトを所定方向に回して前記係止部材を該本体部に接近するように移動させて、前記水平部位それぞれが前記せき板それぞれに当接するまで該桟木を引き寄せる第三工程と、を有することを特徴とする目違い修正工法。
【請求項８】
前記第三工程は、引き寄せた前記桟木と該桟木に隣接する桟木とを釘で固定し、前記目違い修正具を前記桟木から取り外す工程を含むことを特徴とする請求項７記載の目違い修正工法。